(57)【特許請求の範囲】
【請求項１】
カメラボディの下部から前方に向かって突出し、撮影レンズが装着されたレンズホルダを支持するとともに、その光軸方向への移動をガイドするガイド部材を備えたカメラに取り付けられて、前記撮影レンズの鏡胴部を下方から支持するレンズ支持装置であって、
前記ガイド部材の先端に着脱自在に固定され、先端側が前方に突出したベース部材と、
前記ベース部材に回動自在に軸支されるとともに光軸と略垂直な位置で固定される支持アームと、
前記支持アームの上端に設けられ、前記撮影レンズの鏡胴部に接して撮影レンズを光軸方向に移動自在に支持する鏡胴支持座と、
を備え、
前記ベース部材は、前記ガイド部材に対して天地逆向きに取り付け可能であり、天地逆向きに取り付けることによって前記支持アームの軸着部の高さが異なるようにしたことを特徴とするレンズ支持装置。
【請求項２】
前記鏡胴支持座は、前記鏡胴部の光軸方向への移動に従動して転動する転動部材を備えたことを特徴とする請求項１記載のレンズ支持装置。
【発明の詳細な説明】
【０００１】
【発明の属する技術分野】
本発明は、カメラボディとは別体のレンズホルダに撮影レンズが装着され、レンズホルダごと撮影レンズを光軸方向に移動させるようにしたカメラに用いられるレンズ支持装置に関するものである。
【０００２】
【従来の技術】
ブローニーフイルムを使用するラージフォーマットカメラの中には、カメラボディから分離して設けられたレンズホルダに撮影レンズを装着して使用するものがある。レンズホルダは、カメラボディの下部に前方に向けて突設されたガイドロッドやガイドレールなどのガイド手段によって光軸方向に進退自在に支持されており、ピント合わせに際しては撮影レンズごと光軸方向に移動される。
【０００３】
レンズホルダには広角レンズ，望遠レンズなどの交換レンズが適宜に装着されるが、ラージフォーマット用の交換レンズはいずれも大型である。特に、望遠レンズは全長も長く重量もあることから、レンズホルダに装着しただけでは保持が不安定になりやすい。一般に、カメラボディに大型の撮影レンズを装着したときに撮影レンズを安定に保持することができるように、カメラボディに専用のレンズ支持装置を固定し、レンズマウント部とは別の箇所で撮影レンズを支えるようにしたり、また、カメラボディの代わりに撮影レンズの方を三脚で支持するなどの工夫がこれまで行われている。
【０００４】
ところで、上記のようなレンズホルダを利用したラージフォーマットカメラの中には、例えば本出願人から提供されているＧＸ６８０III （商品名）で知られるように、レンズホルダにアオリ機構（シフト機構を含む）を組み込んだものがある。このカメラでは、カメラボディの下部に突設した一対のガイドロッドによってホルダ本体が光軸方向に進退自在に支持されている。ホルダ本体には撮影レンズが装着されるホルダフレームが組み込まれ、このホルダフレームがホルダ本体に対してシフト自在かつアオリ自在となっている。
【０００５】
さらに、上記ＧＸ６８０III カメラはシステム化されており、用意されている交換レンズ群が、姉妹機種であるＧＸ６８０III −Ｓ（商品名）にも共用できるようにしてある。ＧＸ６８０III −Ｓカメラは、軽量，コンパクト化によりラージフォーマットカメラの操作性を重視したもので、レンズホルダにアオリ機構が組み込まれていない。このため、ＧＸ６８０III カメラと比較してレンズホルダの背が低くなっており、これに応じてカメラボディに固定されたガイドロッドの位置が光軸寄りに近づけられている。
【０００６】
【発明が解決しようとする課題】
ところが、シリーズ化された姉妹機種間で上記のようにレンズホルダの機能や形態が異なり、これに応じてガイドロッドの固定位置が異なっていると、レンズホルダに装着された撮影レンズを安定に保持するためのレンズ支持装置が共用しにくくなる。レンズ支持装置は、カメラボディあるいはカメラボディに強固に固定されたガイドロッドに装着して利用されるため、上記のように姉妹機種間でカメラボディの形状やガイドロッドの位置が異なっていると、それぞれの機種ごとに専用のレンズ支持装置を用意しなければならない。したがって、これらの機種を用途に応じて使い分けるユーザーにとっては非常に煩わしいものであった。
【０００７】
本発明は上記事情を考慮してなされたもので、交換レンズの共用を前提とした異機種のカメラについて、共通に使用することができるようにしたレンズ支持装置を提供することを目的とする。
【０００８】
【課題を解決するための手段】
本発明によるレンズ支持装置は、カメラボディの下部から前方に向かって突出し、撮影レンズが装着されたレンズホルダを支持するとともに、その光軸方向への移動をガイドするガイド部材を備えたカメラに取り付けられて、前記撮影レンズの鏡胴部を下方から支持するレンズ支持装置であって、前記ガイド部材の先端に着脱自在に固定され、先端側が前方に突出したベース部材と、前記ベース部材に回動自在に軸支されるとともに光軸と略垂直な位置で固定される支持アームと、前記支持アームの上端に設けられ前記撮影レンズの鏡胴部に接して撮影レンズを光軸方向に移動自在に支持する鏡胴支持座とを備え、前記ベース部材は、前記ガイド部材に対して天地逆向きに取り付け可能であり、天地逆向きに取り付けることによって前記支持アームの軸着部の高さが異なるようにしたことを特徴とする。
【０００９】
前記鏡胴支持座は、前記鏡胴部の光軸方向への移動に従動して転動する転動部材を備えるようにすると良い。
【００１０】
【発明の実施の形態】
図１及び図２にブローニーフイルムを用いる一眼レフカメラの外観を示す。カメラボディ２の背面側にフイルムバック３が装着される。カメラボディ２の前面下部に一対のガイドロッド４が突設され、レンズホルダ５を進退自在に支持するガイド手段を構成している。レンズホルダ５は、ホルダ本体５ａ，Ｕ字形をしたブラケット５ｂ，ホルダフレーム５ｃを備え、レンズユニット６はフック５ｄによりホルダフレーム５ｃに装着される。
【００１１】
ブラケット５ｂは、ホルダ本体５ａに対し水平方向にスライド調節可能で、また垂直な軸の回りに揺動調節可能である。さらに、ブラケット５ｂに対し、ホルダフレーム５ｃは垂直方向にスライド調節可能で、また水平な軸の回りに揺動調節自在となっている。これらの調節により、ホルダフレーム５ｃごとレンズユニット６に対してシフト操作及びアオリ操作を加えることができる。なお、ホルダフレーム５ｃの背面とカメラボディ２の前面との間はベローズ７によって連結されている。また、符号１３は三脚取付ネジ穴を示し、符号１４はカメラボディ２とレンズユニット６とを電気的に接続するフレキシブルコードを示す。
【００１２】
カメラボディ２の上面に設けられたファインダフード８を開き、ピントグラスに表示されるファインダ画像を観察しながらフレーミング，ピント合わせが行われる。ホルダ本体５ａに設けられた操作ノブ５ｅを回動操作すると、ホルダ本体５ａがガイドロッド４上を進退移動し、レンズユニット６全体が光軸方向に移動してピント合わせが行われる。なお、本発明のレンズ支持装置を使用しないときには、一対のボルト９によってガイドロッド４ａの先端にストッパ板１０が固定され、ピント合わせ操作時にホルダ本体５ａがガイドロッド４から抜け出ることはない。
【００１３】
レンズユニット６は基部６ａと鏡胴部６ｂとからなり、基部６ａの内部にはシャッタ及び絞りが内蔵されている。図示のレンズユニット６は望遠レンズであるため、広角系のレンズと比較して鏡胴部６ｂが長い。レンズユニット６は、基部６ａがホルダフレーム５ｃで保持されているだけであるため、鏡胴部６ｂが長くなると重量バランスがくずれて不安定になりやすい。
【００１４】
このようなときにレンズ支持装置１５が用いられる。レンズ支持装置１５は、ストッパ板１０の代わりにガイドロッド４の先端にボルト９で固定される。レンズ支持装置１５は、ガイドロッド４の先端に固定され、光軸に沿って前方に伸ばされたベース部材１６と、その先端に設けられ上方に伸びた支持アーム１７と、支持アーム１７の上端に設けられた円弧状の鏡胴支持座１８とからなる。詳しくは後述するように、この実施形態においては、支持アーム１７はベース部材１６に対して回動自在に軸着されるためベース部材１６とは別体に構成されるが、鏡胴支持座１８は支持アーム１７と一体に構成されている。
【００１５】
鏡胴支持座１８は、レンズユニット６の鏡胴部６ｂの外周に下側から接し、支持アーム１７，ベース部材１６とともに鏡胴部６ｂを支持する。したがって、レンズユニット６はホルダフレーム５ｃにより基部６ａが保持され、レンズ支持装置１６によって鏡胴部６ｂが支持される形となり、望遠系のものであっても安定に保持されるようになる。なお、鏡胴部６ｂの外周面に接するように鏡胴支持座１８にはローラが組み込まれており、レンズユニット６の光軸方向への進退移動が円滑に行われるようにしてある。
【００１６】
図３にレンズ支持装置１５の構造を示す。ベース部材１６は、取付板１６ａと支持板１６ｂとからなり、これらは一体に連結されている。ボルト９を取付板１６ａの穴に通してガイドロッド４の先端に螺合させることによって、ベース部材１６をガイドロッド４の先端に固定することができる。なお、ストッパ板１０にベース部材１６の固定手段を設け、ストッパ板１０を外さずにベース部材１６をガイドロッド４の先端部に固定するようにしてもよい。
【００１７】
支持板１６ｂは取付板１６ａの上下の縁の一方に寄せて設けられており、ガイドロッド４の中心から一定高さだけ隔てられている。したがって、取付板１６ａを図示の姿勢で固定したときには取付板１６ａの上縁から前方に突出し、取付板１６を天地逆向きの姿勢で固定したときには取付板１６の下縁から前方に突出する。これにより、取付板１６ａの固定姿勢に応じて支持板１６ｂの高さ位置を変えることができる。
【００１８】
支持板１６ｂの先端に切欠１６ｃが形成されている。支持アーム１７は、その下端が切欠１６ｃの中に嵌め込まれ、軸２０によって回動自在に軸着される。切欠１６ｃの奥行き寸法は支持アーム１７の厚みよりも大きく、これにより支持アーム１７を、図示の取付位置から反時計方向に１８０°まで回動させることができる。後述するように、取付板１６ａを図示の固定姿勢に対して天地逆向きで固定するときには、支持アーム１７は図示の姿勢から１８０°回動して利用される。ガイドロッド４の高さ位置を基準にしたとき、取付板１６ａの固定姿勢に応じて支持アーム１７の軸着部の高さが変わることになるため、支持アーム１７の長さを一定にしたままで、ガイドロッド４から鏡胴支持座１８までの高さを２通りに変えることができる。
【００１９】
支持アーム１７を図示の位置で固定し、あるいは反時計方向に１８０°回動させた状態で固定することができるように、支持アーム１７には一対の楔板２２ａ，２２ｂが上下に移動自在に組み付けられている。楔板２２ａ，２２ｂの移動は支持アーム１７の前面及び背面に一段低く形成されたガイド面によって案内される。両ガイド面に貫通してスロット２３が形成され、一方の楔板２２ｂに固着されたボス２２ｃがスロット２３に挿通される。他方の楔板２２ａがボス２２ｃに対してねじ止めされ、楔板２２ａ，２２ｂは一体となって上下に移動する。
【００２０】
さらに、楔板２２ａ，２２ｂの間にスリーブ２４が挿入され、ロックネジ２５ａ，２５ｂによって楔板２２ａ，２２ｂの各々にねじ止めされている。ロックネジ２５ａ，２５ｂの少なくともいずれかを緊締することによって一対の楔板２２ａ，２２ｂはその位置で固定され、その螺合を緩めることによってスロット２３に沿って上下方向に移動させることができるようになる。なお、楔板２２ａ，２２ｂの下端部分に、図示のように先細となるテーパを形成しておくのがよい。
【００２１】
図４（Ａ）は、ロックネジ２５ｂを緩めて楔板２２ａ，２２ｂを上方に移動させた状態を示す。楔板２２ｂの下端が支持板１６ｂの切欠１６ｃから抜け出ることによって、支持アーム１７を回動させるスペースが形成され、軸２０の回りに支持アーム１７を反時計方向に回動させることができるようになる。そして、同図（Ｂ）に示すように楔板２２ａ，２２ｂを下方に移動させ、楔板２２ｂの下端が切欠１６ｃの中に十分に挿入されると、支持アーム１７の回動スペースがなくなってその回動が禁止される。この状態でロックネジ２５ｂを緊締して楔板２２ａ，２２ｂを支持アーム１７に固定すれば、支持アーム１７は起立位置でロックされることになる。
【００２２】
図４に示すように、支持アーム１７及び楔板２２ａ，２２ｂは、軸２０を通る垂線に関して左右対称形状になっている。したがって、支持アーム１７を図４（Ａ）の状態から１８０°回動させた後でも、全く同様にして楔板２２ａ，２２ｂにより支持アーム１７をその位置でロックしておくことができる。
【００２３】
図３に示すように、支持アーム１７の上端に円弧状の鏡胴支持座１８が一体に設けられ、その内周の対称な２個所にローラ２６が組み込まれている。ローラ２６は、このレンズ支持装置１５をガイドロッド４の先端部に固定したとき、光軸に直交する面内に設けられた軸の回りに回転自在であり、その外周がレンズユニット６の鏡胴部６ｂの外周に接する。そして、レンズユニット６をピント合わせのために進退移動させたときに従動回転し、鏡胴部６ｂの移動を円滑にする作用を行う。
【００２４】
アオリ機能付きのレンズホルダ５を備えたカメラに上記レンズ支持装置１５を使用するときには、図２に示すように、支持板１６ｂが取付板１６ａの上縁側にくるようにレンズ支持装置１５をガイドロッド４の先端に固定する。ガイドロッド４は、アオリ機能付きのレンズホルダ５の高さ寸法に応じ、アオリ操作を全く行っていない標準状態での光軸までの高さがＨ１となるようにカメラボディ２に突設されている。そして支持アーム１７は、レンズ支持装置１５が図示の姿勢でガイドロッド４に固定されることを前提として長さ寸法が決められているから、望遠系のレンズユニット６を装着した場合であっても、その先端側を鏡胴支持座１８によって安定に保持することができるようになる。
【００２５】
他方、アオリ機能をもたないレンズホルダを備えたカメラに上記レンズ支持装置１５を使用するときの様子を図５に示す。なお、同図中、すでに説明した部材その他と共通のものについては同符号を付してある。カメラボディ３０は、ガイドロッド４の突設位置が光軸までの高さがＨ２となるように決めてある以外は、図２に示すものと機能的には共通のものである。
【００２６】
アオリ機構をもたないレンズホルダ３２は、ブラケット５ｂを省略してホルダ本体５ａにホルダフレーム５ｃを固定したものである。レンズユニット６は、フック５ｄにより全く同様にしてホルダフレーム５ｃに装着することができる。ブラケット５ｂ及びアオリ機構が省略されているため、これに応じて前述のようにガイドロッド４の突設位置が決められている。ホルダフレーム５ｃにレンズユニット６を装着した状態では、操作ノブ５ｅの回動によりホルダ本体５ａをガイドロッド４に沿って移動させることによってレンズユニット６が光軸上を進退し、ピント合わせを行うことができる。
【００２７】
アオリ機構のないカメラに本発明のレンズ支持装置１５を適用する場合には、ロックネジ２５ａ，２５ｂの少なくともいずれかを緩め、楔板２２ａ，２２ｂを鏡胴支持座１８方向に移動して切欠１６ｃから楔板２２ｂを抜いてから支持アーム１７を１８０°反転させる。そして、背後に回ってきた楔板２２ａをその先端のテーパ部から切欠１６ｃに嵌め込み、ロックネジ２５ａ，２５ｂを緊締する。これにより、図３において、支持アーム１７及び鏡胴支持座１８が支持板１６ｂの下側に直立した姿勢で固定される。
【００２８】
そして図５に示すように、支持板１６ｂが取付板１６ａの下縁側から前方に突出するように、取付板１６ａをガイドロッド４の先端に固定する。この結果、支持アーム１７の軸着部（軸２０）がガイドロッド４の中心よりも下側に位置するようになる。取付板１６ａの天地を逆向きに取り付けたとき、軸２０の高さ位置が「Ｈ１−Ｈ２」だけ変わるように決めてあるから、鏡胴支持座１８はレンズユニット６の鏡胴部６ｂを支持する高さ位置となる。そして、シリーズ化された交換レンズ群は、鏡胴部６ｂの外径が同じにしてあるから、アオリ機構のないレンズホルダ３２が組み込まれたカメラボディ３０に対しても、同じレンズ支持装置１５を共用することが可能となる。
【００２９】
なお、支持板１６ｂに伸縮機構を内蔵させ、取付板１６ａをガイドロッド４に固定したままでも、支持アーム１７及び鏡胴支持座１８の光軸方向の位置を変えられるようにしてもよい。これにより、鏡胴部６ａの長さに応じて、光軸方向での支持位置を調節することが可能となる。
【００３０】
図６に本発明の別の実施形態を示す。このレンズ支持装置は、ベース部材３５をカメラボディ２，３０の底面に設けられた三脚取付ネジ穴１３を利用し、カメラホディ２，３０に直接装着して用いられる。このため、ベース部材３５には三脚ネジ３６が組み込まれ、底面側に露呈したノブを回して緊締することによってベース部材３５がカメラボディ２，３０の底面に固着される。ベース部材３５の底面に三脚取付ネジ穴３７が設けられており、このレンズ支持装置を使用してもカメラボディ２，３０を三脚に取り付けて支持することができるようにしてある。
【００３１】
ベース部材３５から前方に突出するように一対の支持ロッド３８が設けられている。ロックネジ３９を緩めると、支持ロッド３８をある程度前方に伸ばすことができ、ロックネジ３９を緊締することによって支持ロッド３８をその位置で固定することができる。なお、支持ロッド３８には指標線３８ａが刻印され、支持ロッド３８の突出長さを調節するときの目安となる。
【００３２】
支持ロッド３８の先端に支持ブロック４０が固定されている。支持ブロック４０には一対の支持アーム４２が組み込まれ、その上端に鏡胴支持座４３が固定されている。支持アーム４２は、支持ブロック４０に上下に貫通して形成された穴に挿通され、ロックネジ４５を緩めることによって支持ブロック４０からの突出長さを変えることができ、ロックネジ４５の緊締によりその位置に固定することができる。なお、支持アーム４２にも指標線４２ａが刻印され、その突出量を調節するときの目安となる。
【００３３】
上記のレンズ支持装置によれば、支持アーム４２の突出長さが自在に調節できるから、アオリ機構の有無に応じてカメラボディの底面から光軸までの高さが異なるカメラであっても、レンズユニット６をその鏡胴部６ｂに鏡胴支持座４３の高さを合わせることによって、レンズユニット６を安定に保持することが可能となる。もちろん、鏡胴部６ｂの長さに応じて支持ロッド３８の突出長さを調節すれば、最も適切な位置で鏡胴部６ｂを支えることができる。
【００３４】
以上、図示した実施形態にしたがって説明してきたが、本発明はそのほかにも様々な態様で用いることができる。例えば、レンズ支持装置を構成する各部材の寸法や形状は適宜に変更可能であり、また図６に示すレンズ支持装置については、必ずしもシリーズ化された姉妹機種のものだけでなく、カメラボディ底面に三脚取付ネジ穴が設けられたカメラにはそのまま用いることができる。
【００３５】
【発明の効果】
以上のように、本発明のレンズ支持装置によれば、異機種間のカメラに対して共通に使用することができるので、製造メーカー側にとっては開発・製造コストを抑えて販売価格を低く設定することが可能になり、ユーザーにとっては保管や携帯が簡便になるという利点がある。
【図面の簡単な説明】
【図１】本発明のレンズ支持装置をアオリ機構付きのカメラに用いたときの外観斜視図である。
【図２】図１に示すカメラの側面図である。
【図３】本発明のレンズ支持装置の分解斜視図である。
【図４】本発明のレンズ支持装置の作用説明図である。
【図５】本発明のレンズ支持装置を別のカメラに用いたときの側面図である。
【図６】本発明の他の実施形態を示す外観斜視図である。
【符号の説明】
２，３０  カメラボディ
４  ガイドロッド
５  レンズホルダ
６  レンズユニット
１６  ベース部材
１７  支持アーム
１８  鏡胴支持座
２２ａ，２２ｂ  楔板
３５  ベース部材
３８  支持ロッド
４０  支持ブロック
４２  支持アーム
【図１】
0004270417.tif 000002
【図２】
0004270417.tif 000003
【図３】
0004270417.tif 000004
【図４】
0004270417.tif 000005
【図５】
0004270417.tif 000006
【図６】
0004270417.tif 000007